(57)【要約】【課題】係止凸部と係止凹部との係合作業が容易であり、係合が外れるおそれもない配管カバーを提供する。【解決手段】配管１０の外周面に配管１０を挟んで両側より被せられる一対のカバー半体２，３より成る。各カバー半体２，３は、凹溝部２０，３０の両側に互いに突き合わされる突き合わせ端面２１，２２、３１，３２を備え、各カバー半体２，３の一方の突き合わせ端面２２，３１の外縁は折曲可能な薄肉部４を介して全長が一体に連結されている。一方のカバー半体３の連結されていない側の突き合わせ端面３２には、奥へ広がった形状の係止凹部３３が所定の間隔毎に切り欠かれている。他方のカバー半体２の連結されていない側の突き合わせ端面２１の外縁には、各係止凹部３３の位置に合わせて、係止凹部３３に対応する形状の係止凸部２３が折曲可能な薄肉部４０を介して一体に形成されている。【選択図】図１
2008261399.tif 000002
【特許請求の範囲】
【請求項１】
配管の外周面に配管を挟んで両側より被せられる一対のカバー半体より成り、各カバー半体は、配管の半周面に沿う形状の凹溝部の両側に互いに突き合わされる突き合わせ端面を備え、各カバー半体の一方の突き合わせ端面の外縁は折曲可能な薄肉部を介して全長が一体に連結されて成る発泡合成樹脂製の配管カバーにおいて、
一方のカバー半体の連結されていない側の突き合わせ端面には、奥へ広がった形状の係止凹部が所定の間隔毎に切り欠かれ、他方のカバー半体の連結されていない側の突き合わせ端面の外縁には、各係止凹部の位置に合わせて、前記係止凹部に対応する形状の係止凸部が折曲可能な薄肉部を介して一体に形成されて成る配管カバー。
【請求項２】
各カバー半体の少なくとも連結されている側の突き合わせ端面に、その突き合わせ端面を互いに密接させるための密接手段が設けられている請求項１に記載された配管カバー。
【請求項３】
前記密接手段は、各カバー半体の突き合わせ端面を全長にわたり肉盛りして形成された突出部により構成されている請求項２に記載された配管カバー。
【請求項４】
前記密接手段は、各カバー半体の突き合わせ端面に貼設された互いに咬み合う面ファスナーにより構成されている請求項２に記載された配管カバー。
【発明の詳細な説明】
【技術分野】
【０００１】
この発明は、水道管、給湯管などの配管、さらには、空調機器などの配管について、断熱や保温の目的で使用される発泡合成樹脂製の配管カバーに関する。
【背景技術】
【０００２】
従来、この種の配管カバーとして、配管の外周面に配管を挟んで両側より被せられる一対のカバー半体より成るものが使用されていた。各カバー半体は、配管の半周面に沿う形状の凹溝部の両側に互いに突き合わされる突き合わせ端面を備え、一方のカバー半体の突き合わせ端面の複数箇所には両面粘着テープが貼り付けられている。
しかし、配管の外形や寸法に応じて対をなすカバー半体を他種類用意する場合、対をなすカバー半体を探し出して組み合わせたり、両面粘着テープの剥離紙を剥がしたうえで、各カバー半体をずれないようにして突き合わせ端面を突き合わせる必要があり、作業効率が悪いという問題がある。
【０００３】
この問題を解決するため、先般、配管カバーを構成する一対のカバー半体を薄肉状の折曲部を介して接続するとともに、各カバー半体の突き合わせ端面に互いに係合可能な係止凸部と係止凹部とを設けたものが提案された（例えば、特許文献１参照）。前記折曲部はヒンジを構成するもので、各カバー半体に一体形成されている。
【０００４】
【特許文献１】実用新案登録第２５９７７３５号公報
【発明の開示】
【発明が解決しようとする課題】
【０００５】
上記した構成の配管カバーでは、カバー半体の突き合わせ端面に係止凸部が突き出た構成のものであるので、各カバー半体を閉じることで、係止凸部が係止凹部に押し込まれて係合するが、押込み時に係止凸部が弾性変形するため、係止凹部に嵌りにくく、係合作業がやりずらいという問題がある。また、係止凸部が弾性変形した状態で係止凹部に係合した場合、係止凸部の復元力によって係止凹部との係合が外れるおそれもある。
【０００６】
この発明は、上記問題に着目してなされたもので、各ケース半体の突き合わせ端面を互いに突き合わせた状態で係止凸部を係止凹部に外側より係合可能となすことにより、係止凸部と係止凹部との係合作業が容易であり、係合が外れるおそれもない配管カバーを提供することを目的とする。
【課題を解決するための手段】
【０００７】
この発明による配管カバーは、発泡合成樹脂製であって、配管の外周面に配管を挟んで両側より被せられる一対のカバー半体より成る。各カバー半体は、配管の半周面に沿う形状の凹溝部の両側に互いに突き合わされる突き合わせ端面を備え、各カバー半体の一方の突き合わせ端面の外縁は折曲可能な薄肉部を介して全長が一体に連結されている。
一方のカバー半体の連結されていない側の突き合わせ端面には、奥へ広がった形状の係止凹部が所定の間隔毎に切り欠かれ、他方のカバー半体の連結されていない側の突き合わせ端面の外縁には、各係止凹部の位置に合わせて、前記係止凹部に対応する形状の係止凸部が折曲可能な薄肉部を介して一体に形成されている。
【０００８】
上記した構成の配管カバーを配管上に装着するには、開放した一方のカバー半体を配管の外周面に被せた後、他方のカバー半体を閉じるようにして配管の外周面に被せ、各カバー半体の両側の突き合わせ端面を互いに突き合わせる。その後、各係止凸部を薄肉部で折り曲げて各係止凹部に外側より係合させ、これによりカバー半体を閉じた状態に保持する。各係止凸部は薄肉部で折り曲げ、係止凹部に外側より係合させるので、係止凸部を係止凹部にその上から押し込んで係合させていた従来例と比較して、係合作業が容易である。また、薄肉部はヒンジを構成し、折り曲げられた状態では、係止凸部に復元力を作用させることがないので、係止凸部と係止凹部との係合が外れるおそれはない。
【０００９】
この発明の好ましい実施態様においては、各カバー半体の少なくとも連結されている側の突き合わせ端面には、その突き合わせ端面を互いに密接させるための密接手段が設けられている。
【００１０】
前記密接手段として種々の態様が考えられるが、そのひとつは、各カバー半体の突き合わせ端面を全長にわたり肉盛りして形成された突出部により構成されており、他のひとつは、各カバー半体の突き合わせ端面に貼設された互いに咬み合う面ファスナーにより構成されている。
【００１１】
上記した実施態様によると、各カバー半体の突き合わせ端面が密接手段によって互いに密接するので、突き合わせ端面間に隙間が生じず、断熱効果や保温効果が高められる。
【発明の効果】
【００１２】
この発明によれば、各ケース半体の突き合わせ端面を互いに突き合わせた状態で薄肉部を折り曲げて係止凸部を係止凹部に外側より係合させるので、係止凸部と係止凹部との係合作業が容易であり、両者の係合が外れるおそれがない。
【発明を実施するための最良の形態】
【００１３】
図１および図２は、この発明の一実施例である配管カバー１の外観を示している。
図示例の配管カバー１は、発泡ポリオレフィン系樹脂により形成され、配管１０の外周面に配管１０を挟んで両側より被せられる一対のカバー半体２，３より成るものである。各カバー半体２，３は、配管１０の長さに応じた全長を有し、配管１０の半周面に沿う形状の凹溝部２０，３０をそれぞれ有している。各凹溝部２０，３０の両側は、ケース半体２，３を閉じたとき、全長にわたって互いに突き合わされる突き合わせ端面２１，２２、３１，３２になっている。各カバー半体２，３の一方の突き合わせ端面２２，３１の外縁は、ヒンジを構成する折曲可能な薄肉部４を介して全長が一体に連結されている。
【００１４】
一方のカバー半体３の連結されていない側の突き合わせ端面３２には、所定の間隔毎に係止凹部３３が突き合わせ端面３２を切り欠くようにして形成されている。この実施例の各係止凹部３３は、開口部分の長さｄ１より底部の長さｄ２が大きくなるように、奥へ広がった台形状に形成されているが、奥へ広がった抜止め形状であれば、必ずしも台形状である必要はない。
【００１５】
他方のカバー半体２の連結されていない側の突き合わせ端面２１の外縁には、各係止凹部３３の位置に合わせて、ヒンジを構成する折曲可能な薄肉部４０を介して係止凸部２３が一体に形成されている。各係止凸部２３は、前記係止凹部３３に対応する形状、すなわち、係止凹部３３にぴったり嵌合する形状に形成されており、基端部分の長さｔ１は係止凹部３３の開口部分の長さｄ１に対応させ、先端部分の長さｔ２は係止凹部３３の底部の長さｄ２に対応させている（ｔ２＞ｔ１）。
上記係止凸部２３の薄肉部４０やカバー半体２，３間の薄肉部４は真空成形などの熱成形法によって肉厚を１ｍｍ以下に一体成形するのが望ましい。
【００１６】
上記した構成の配管カバー１を配管１０上に装着するには、各カバー半体２，３を開放した状態にし、開放した一方のカバー半体２を配管１０の外周面に被せた後、次に、図３に示すように、他方のカバー半体３を閉じるようにして配管１０の外周面に被せ、一方のカバー半体２の突き合わせ端面２１は他方のカバー半体３の突き合わせ端面３２に、一方のカバー半体２の他の突き合わせ端面２２は他方のカバー半体３の他の突き合わせ端面３１に、それぞれ突き合わせる。
【００１７】
次に、図４に示すように、カバー半体２の各係止凸部２３を薄肉部４０で折り曲げて各係止凹部３３に外側より係合させる。これによりカバー半体２，３は閉じた状態に保持される。各係止凸部２３は、薄肉部４０で折り曲げて係止凹部３３に外側より係合させるので、係合作業が容易である。また、薄肉部４０はヒンジを構成し、折り曲げられた状態では、係止凸部２３に復元力を作用させることがないから、係止凸部２３と係止凹部３３との係合が外れることもない。
【００１８】
上記した実施例では、配管１０にカバー半体２，３を被せた状態のとき、薄肉部４，４０が設けられていることで、カバー半体２，３の突き合わせ端面２２，３１間および２１，３２間に隙間ｓ１，ｓ２が生じるおそれがある。
図５および図６に示す実施例では、各カバー半体２，３の突き合わせ端面２１，２２、３１，３２には、その突き合わせ端面２２，３１間および２１，３２間を互いに密接させて隙間ｓ１，ｓ２が生じないようにするための密接手段５が施されている。
【００１９】
図５に示す実施例では、前記密接手段５として、各カバー半体２，３の突き合わせ端面２１，２２、３１，３２を全長にわたり肉盛りして幅中央が突き出た突出部５０，５１を形成したものである。
図６に示す実施例では、前記密接手段５として、各カバー半体２，３の突き合わせ端面２２，３１間および２１，３２間のそれぞれに互いに咬み合う面ファスナー５２〜５５を貼設したものである。
なお、上記の密接手段５は、各カバー半体２，３の連結されている側の突き合わせ端面２２，３１にのみ設けてもよい。
【００２０】
上記した実施態様によると、各カバー半体２，３の突き合わせ端面２２，３１間および２１，３２間が密接手段５によって互いに密接するので、突き合わせ端面２２，３１間および２１，３２間に隙間が生じず、断熱効果や保温効果が高められる。
【図面の簡単な説明】
【００２１】
【図１】この発明の一実施例である配管カバーの全長の一部を示す斜視図である。
【図２】図１のＡ−Ａ線に沿う断面図である。
【図３】ケース半体を閉じた状態を示す断面図である。
【図４】係止凸部を係止凹部に係合した状態を示す断面図である。
【図５】密接手段を有する実施例について開いた状態および閉じた状態を示す断面図である。
【図６】密接手段を有する他の実施例について開いた状態および閉じた状態を示す断面図である。
【符号の説明】
【００２２】
１    配管カバー
２，３  カバー半体
４，４０  薄肉部
５    密接手段
２０，３０  凹溝部
２１，２２，３１，３２  突き合わせ端面
２３  係止凸部
３３  係止凹部
５０，５１  突出部
５２〜５５  面ファスナー
【図１】
2008261399.tif 000003
【図２】
2008261399.tif 000004
【図３】
2008261399.tif 000005
【図４】
2008261399.tif 000006
【図５】
2008261399.tif 000007
【図６】
2008261399.tif 000008